(57)【要約】【課題】  作業速度を読み取り易い状態で表示するとともに、作業速度と合わせてエンジン回転速度及び燃料残量を適切に表示して、使い勝手を向上することが可能となる作業機械の表示装置を提供する。【解決手段】  作業機械の運転において作業者に知らせるべき報知情報を表示する報知情報表示手段Ｃが、最低速度表示位置と最高速度表示位置とに亘る作業速度表示用設定経路に沿って作業速度表示用指示部１２ａを作業速度に応じて移動させる形態で作業速度を表示する作業速度表示部１２と、エンジン回転速度を表示するエンジン回転速度表示部１４と、燃料残量を表示する燃料残量表示部１５とを備えて構成され、且つ、作業速度表示部１２が左右方向中央部に位置する状態で設けられ、エンジン回転速度表示部１４と燃料残量表示部１５とが作業速度表示部１２の左右方向両側に位置する状態で振り分け配置される。【選択図】        図４
2007054008.tif 000002
【特許請求の範囲】
【請求項１】
作業機械の運転において作業者に知らせるべき報知情報を表示する報知情報表示手段を備えた作業機械の表示装置であって、
前記報知情報表示手段が、
最低速度表示位置と最高速度表示位置とに亘る作業速度表示用設定経路に沿って作業速度表示用指示部を作業速度に応じて移動させる形態で前記報知情報としての作業速度を表示する作業速度表示部と、前記報知情報としてのエンジン回転速度を表示するエンジン回転速度表示部と、前記報知情報としての燃料残量を表示する燃料残量表示部とを備えて構成され、且つ、
前記作業速度表示部が左右方向中央部に位置する状態で設けられ、前記エンジン回転速度表示部と前記燃料残量表示部とが前記作業速度表示部の左右方向両側に位置する状態で振り分け配置される状態で設けられている作業機械の表示装置。
【請求項２】
前記エンジン回転速度表示部が、最低速度表示位置と最高速度表示位置とに亘るエンジン回転速度表示用設定経路に沿ってエンジン回転速度表示用指示部をエンジン回転速度に応じて移動させる形態でエンジン回転速度を表示するように構成され、
前記燃料残量表示部が、最大残量表示位置と最小残量表示位置とに亘る残量表示用設定経路に沿って燃料残量表示用指示部を燃料残量に応じて移動させる形態で燃料残量を表示するように構成されている請求項１記載の作業機械の表示装置。
【請求項３】
前記作業速度表示部が、前記作業速度表示用設定経路を上向き突出の円弧状として、前記作業速度表示用指示部としての指示針を、その移動角度範囲が１８０度を越える広い角度に設定された前記作業速度表示用設定経路に沿って移動させるように構成され、
前記エンジン回転速度表示部が、左右方向の一側部に位置する状態で設けられ、且つ、前記エンジン回転速度表示用設定経路を上向き突出の円弧状として、前記エンジン回転速度表示用指示部としての指示針を、その移動角度範囲が１８０度よりも狭い角度に設定された前記エンジン回転速度表示用設定経路に沿って移動させるように構成され、
前記燃料残量表示部が、左右方向の他側部に位置する状態で設けられ、且つ、前記燃料残量表示用設定経路を上向き突出の円弧状として、前記燃料残量表示用指示部としての指示針を、その移動角度範囲が１８０度よりも狭い角度に設定された前記燃料残量表示用設定経路に沿って移動させるように構成されている請求項２記載の作業機械の表示装置。
【請求項４】
前記エンジン回転速度表示部に、エンジンが無負荷状態であるときにエンジン回転速度が予め設定されている基準回転速度又はそれに近い回転速度である基準回転状態になっていることを表示する基準回転状態表示手段が備えられている請求項１〜３のいずれか１項に記載の作業機械の表示装置。
【発明の詳細な説明】
【技術分野】
【０００１】
本発明は、作業機械の運転において作業者に知らせるべき報知情報を表示する報知情報表示手段を備えた作業機械の表示装置に関する。
【背景技術】
【０００２】
上記構成の作業機械の表示装置の従来例としては、作業機械の一例であるコンバインに適用したものとして次のように構成されたものがあった。すなわち、前記報知情報表示手段として、円形の操向ハンドルの中央部分に液晶表示装置にて構成される画像表示部が設けられ、その画像表示部に、数字表示による表示形態にて、報知情報としての作業速度、すなわち、刈取作業時等のように作業を行うときの車体の走行速度である作業速度を表示するように構成され、その作業速度を表示している作業速度表示箇所に近接する位置に、刈取作業状態においては前記報知情報としてのエンジン負荷を表示し、非作業状態においては前記報知情報としてのエンジン回転速度を表示する構成である。さらに、作業速度表示箇所の右側の端部に前記報知情報としてのエンジンの燃料残量を表示し、作業速度表示箇所の左側の端部に前記報知情報としての穀粒タンクに貯留される穀粒の貯留量を表示する構成となっており、このように複数の報知情報を画像表示部における画像上に並べて表示する構成となっている（例えば、特許文献１参照。）。
【０００３】
【特許文献１】特開２００５−８０５４９号公報
【発明の開示】
【発明が解決しようとする課題】
【０００４】
上記従来構成では、数字表示による表示形態にて作業速度を表示する構成であるから、作業者が作業速度を感覚的に判り難いものとなり、作業者にとって作業速度を読み取る作業が煩わしいものとなる不利があった。つまり、数字表示によって作業速度を表示する表示形態であれば、作業者は、表示される数値情報からでは、現在の作業速度が最低速度と最高速度との間の速度調整可能範囲の中でどの程度の割合の速度であるのかを感覚的に判り難いものである。
【０００５】
又、コンバイン等の作業機械においては、エンジン回転速度及び燃料残量は、作業を適正に行うために作業者が頻繁に確認する必要がある重要な情報であるから、これらの情報も作業速度と合わせて表示することが望まれるものである。しかし、上記従来構成においては、燃料残量は作業状態においても表示されるが、エンジン回転速度は作業状態においては表示されない構成であり、作業しながら走行しているときには、例えばエンジン回転速度が異常な状態になっているか否かについて確認することができないという不利があった。
【０００６】
本発明の目的は、作業速度を読み取り易い状態で表示するとともに、作業速度と合わせてエンジン回転速度及び燃料残量を適切に表示して、使い勝手を向上することが可能となる作業機械の表示装置を提供する点にある。
【課題を解決するための手段】
【０００７】
本発明に係る作業機械の表示装置は、作業機械の運転において作業者に知らせるべき報知情報を表示する報知情報表示手段を備えたものであって、前記報知情報表示手段が、最低速度表示位置と最高速度表示位置とに亘る作業速度表示用設定経路に沿って作業速度表示用指示部を作業速度に応じて移動させる形態で前記報知情報としての作業速度を表示する作業速度表示部と、前記報知情報としてのエンジン回転速度を表示するエンジン回転速度表示部と、前記報知情報としての燃料残量を表示する燃料残量表示部とを備えて構成され、且つ、前記作業速度表示部が左右方向中央部に位置する状態で設けられ、前記エンジン回転速度表示部と前記燃料残量表示部とが前記作業速度表示部の左右方向両側に位置する状態で振り分け配置される状態で設けられている点にある。
【０００８】
第１特徴構成によれば、前記報知情報としての作業速度を表示する作業速度表示部が左右方向中央部に位置する状態で設けられるものであるから、作業者が見易い箇所において作業速度を表示することができ、しかも、その作業速度表示部は、最低速度表示位置と最高速度表示位置とに亘る作業速度表示用設定経路に沿って作業速度表示用指示部を作業速度に応じて移動させる形態で作業速度を表示するものであるから、作業速度表示用指示部の移動状態を目視することによって作業速度を感覚的に判別し易いものになる。
【０００９】
すなわち、作業速度を数値で表す表示形態であれば、作業者が作業速度の大きさを感覚的に判り難いものであるが、上記構成であれば、このような不利がなく、作業速度表示用指示部が最低速度表示位置と最高速度表示位置との間のうちのどの位置にあるのか、言い換えると、現在の作業速度が最低速度と最高速度との間の速度調整可能範囲の中でどの程度の割合の速度であるのかを感覚的に判り易いものとなる。
【００１０】
又、前記報知情報としてのエンジン回転速度を表示するエンジン回転速度表示部と、前記報知情報としての燃料残量を表示する燃料残量表示部とが前記作業速度表示部の左右方向両側に位置する状態で振り分け配置される状態で設けられているので、エンジン回転速度表示部と燃料残量表示部とが作業速度表示部の横側の近い箇所に横方向に並んで位置することになる。
【００１１】
つまり、作業機械の動力源であるエンジンの回転速度とエンジンに供給すべき燃料の残量は、作業を適正に且つ継続して行うために作業者が頻繁に確認する必要があるが、そのような報知情報を作業速度表示部の横側の近い箇所に横方向に並んで位置する状態で表示することで、作業者は、そのような作業の継続に必要となる報知情報を容易に確認することができる。
【００１２】
従って、作業速度を読み取り易い状態で表示するとともに、作業速度と合わせてエンジン回転速度及び燃料残量を適切に表示して、使い勝手を向上することが可能となる作業機械の表示装置を提供できるに至った。
【００１３】
本発明の第２特徴構成は、第１特徴構成に加えて、前記エンジン回転速度表示部が、最低速度表示位置と最高速度表示位置とに亘るエンジン回転速度表示用設定経路に沿ってエンジン回転速度表示用指示部をエンジン回転速度に応じて移動させる形態でエンジン回転速度を表示するように構成され、前記燃料残量表示部が、最大残量表示位置と最小残量表示位置とに亘る残量表示用設定経路に沿って燃料残量表示用指示部を燃料残量に応じて移動させる形態で燃料残量を表示するように構成されている点にある。
【００１４】
第２特徴構成によれば、前記エンジン回転速度表示部が、最低速度表示位置と最高速度表示位置とに亘るエンジン回転速度表示用設定経路に沿ってエンジン回転速度表示用指示部をエンジン回転速度に応じて移動させる形態でエンジン回転速度を表示するので、エンジン回転速度表示用指示部が最低速度表示位置と最高速度表示位置との間のうちのどの位置にあるのか、言い換えると、現在のエンジン回転速度が最低速度と最高速度との間の速度調整可能範囲の中でどの程度の割合の速度であるのかを感覚的に判り易いものとなる。
【００１５】
又、前記燃料残量表示部が、最大残量表示位置と最小残量表示位置とに亘る残量表示用設定経路に沿って燃料残量表示用指示部を燃料残量に応じて移動させる形態で燃料残量を表示するので、燃料残量表示用指示部が最大残量表示位置と最小残量表示位置との間のうちのどの位置にあるのか、言い換えると、現在の燃料残量が最大残量と最小残量との間の残量変更可能範囲の中でどの程度の割合の燃料残量であるのかを感覚的に判り易いものとなる。
【００１６】
従って、作業速度だけでなくエンジン回転速度及び燃料残量も合わせて、作業者にとって感覚的に判り易く迅速に読み取り易いものとなって、使い勝手がさらに向上するものとなる。
【００１７】
本発明の第３特徴構成は、第２特徴構成に加えて、前記作業速度表示部が、前記作業速度表示用設定経路を上向き突出の円弧状として、前記作業速度表示用指示部としての指示針を、その移動角度範囲が１８０度を越える広い角度に設定された前記速度表示用設定経路に沿って移動させるように構成され、前記エンジン回転速度表示部が、左右方向の一側部に位置する状態で設けられ、且つ、前記エンジン回転速度表示用設定経路を上向き突出の円弧状として、前記エンジン回転速度表示用指示部としての指示針を、その移動角度範囲が１８０度よりも狭い角度に設定された前記エンジン回転速度表示用設定経路に沿って移動させるように構成され、前記燃料残量表示部が、左右方向の他側部に位置する状態で設けられ、且つ、前記燃料残量表示用設定経路を上向き突出の円弧状として、前記燃料残量表示用指示部としての指示針を、その移動角度範囲が１８０度よりも狭い角度に設定された前記燃料残量表示用設定経路に沿って移動させるように構成されている点にある。
【００１８】
第３特徴構成によれば、前記作業速度表示部が、前記作業速度表示用設定経路を上向き突出の円弧状として、作業速度表示用指示部としての指示針を、その移動角度範囲が１８０度を越える広い角度に設定された速度表示用設定経路に沿って移動させて作業速度を表示するのである。
【００１９】
すなわち、前記指示針を作業速度に応じて最低速度表示位置から最高速度表示位置に亘る上向き円弧状の作業速度表示用設定経路に沿って移動させることにより作業速度を表示するのであり、作業者は指示針の位置から作業速度を読み取ることができる。このように円弧状に形成された作業速度表示用設定経路に沿って指示針を移動させて作業速度を表示するので、例えば直線状の経路等に比べて、限られた表示スペースを有効に利用して作業速度表示用設定経路を極力長くすることができ、しかも、指示針の移動角度範囲が１８０度を越える広い角度に設定されているので、作業速度が単位量変化するときの指示針の単位移動量を極力大きくすることで分解能を高くした状態で作業速度を判り易く表示することができる。
【００２０】
前記エンジン回転速度表示部は、左右方向の一側部に位置する状態で設けられ、エンジン回転速度表示用設定経路を上向き突出の円弧状として、エンジン回転速度表示用指示部としての指示針を、その移動角度範囲が１８０度よりも狭い角度に設定されたエンジン回転速度表示用設定経路に沿って移動させてエンジン回転速度を表示する。
【００２１】
すなわち、前記指示針をエンジン回転速度表示用設定経路に沿って移動させてエンジン回転速度を表示するので、作業者は指示針の位置からエンジン回転速度を読み取ることができる。そして、エンジン回転速度表示用設定経路が円弧状であり、指示針の移動角度範囲が１８０度よりも狭い角度に設定されているので、エンジン回転速度表示部の左右方向の寸法を極力小さくして設置スペースを有効利用しながら、指示針をできるだけ長いものにしてその移動状態を判り易くして、指示針の移動位置を読み取り易い状態でエンジン回転速度を表示することが可能となる。
【００２２】
前記燃料残量表示部は、左右方向の他側部に位置する状態で設けられ、燃料残量表示用設定経路を上向き突出の円弧状として、燃料残量表示用指示部としての指示針を、その移動角度範囲が１８０度よりも狭い角度に設定された燃料残量表示用設定経路に沿って移動させて燃料残量を表示する。
【００２３】
すなわち、前記指示針を燃料残量表示用設定経路に沿って移動させて燃料残量を表示するので、作業者は指示針の位置から燃料残量を読み取ることができる。そして、燃料残量表示用設定経路が円弧状であり、指示針の移動角度範囲が１８０度よりも狭い角度に設定されているので、燃料残量の左右方向の寸法を極力小さくして設置スペースを有効利用しながら、指示針をできるだけ長いものにしてその移動状態を判り易くして、指示針の移動位置を読み取り易い状態で燃料残量を表示することが可能となる。
【００２４】
従って、作業速度表示部は、作業速度が単位量変化するときの指示針の単位移動量を極力大きくすることで分解能を高くした状態で作業速度を判り易く表示することができ、しかも、限られた表示スペースを有効利用して、作業速度だけでなくエンジン回転速度及び燃料残量を読み取り易い状態で表示することが可能となる。
【００２５】
本発明の第４特徴構成は、第１特徴構成〜第３特徴構成のいずれかに加えて、前記エンジン回転速度表示部に、エンジンが無負荷状態であるときにエンジン回転速度が予め設定されている基準回転速度又はそれに近い回転速度である基準回転状態になっていることを表示する基準回転状態表示手段が備えられている点にある。
【００２６】
第４特徴構成によれば、エンジンが無負荷状態であるときに作業者がアクセル操作してエンジン回転速度を調整する作業を行う場合、エンジン回転速度が予め設定されている基準回転速度又はそれに近い回転速度である基準回転状態になると、基準回転状態表示手段にてそのことが表示される。従って、作業者は、その基準回転状態表示手段の表示状態を確認することで、前記基準回転状態になっていることが容易に分かるので、エンジン回転速度の調整作業を容易に行うことができる。
【発明を実施するための最良の形態】
【００２７】
以下、本発明に係る作業機械の表示装置の実施形態を作業機械としてのコンバインに適用した場合について図面に基づいて説明する。
図１に示すように、コンバインは、左右一対のクローラ走行装置３０を備えた機体Ｖの前部に、刈取昇降シリンダ５によって横軸心Ｘ周りに上下揺動操作自在な状態で刈取部１が設けられ、機体Ｖには、運転部３１、刈取穀稈の扱処理並びに穀粒選別処理を行う脱穀部２、脱穀部２から供給される穀粒を貯留する貯留部としてのグレンタンク３、及び、グレンタンク３から穀粒を排出するための排出用のアンローダ３２等が装備されて構成されている。前記グレンタンク３にはその内部に貯留されている穀粒（もみ）の量を検出するモミセンサＳ６が設けられている。
【００２８】
刈取部１は、先端部に付設された分草具３３、穀稈の引き起こし装置３４、引き起こした穀稈の株元を切断する刈り刃３５、先端側で刈取穀稈を受け取って脱穀部２のフィードチェーン５２に受け渡す縦搬送装置３６等を備えている。又、刈取部１の地面に対する高さを検出するための超音波センサＳ１と、刈取穀稈の存在を検知してオン作動することにより刈取り作業中であることを検出する株元センサＳ２とが設けられている。そして、超音波センサＳ１の情報に基づいて、刈取部１の対地高さが目標設定高さに維持されるように刈取昇降シリンダ５の作動を制御する刈高制御が実行される。
【００２９】
前記アンローダ３２は、先端部に下向き姿勢の排出口３２ａを備え、基端側が横軸心Ｚ周りに上下揺動自在な状態で支持部３２ｂに支持され、その支持部３２ｂが縦軸心Ｙ周りに旋回操作自在な状態で機体Ｖに支持されている。そして、前記アンローダ３２を上下揺動駆動するためのアンローダ用油圧シリンダ６２、旋回駆動用のアンローダ旋回用モータＭ３、その支持部３２ｂの旋回位置を検出するためのポテンショメータ式のアンローダ位置センサＳ３が設けられている。そして、上記アンローダ位置センサＳ３以外にも上昇方向や左右方向への旋回操作の限界位置を検出するリミットスイッチ（図示しない）等も備えられ、それらの情報に基づいてアンローダ３２の作動を制御するアンローダ制御が実行されるように構成されている。
【００３０】
脱穀部２は、図２に示すように、扱胴５１を収納する扱室Ａ、刈取部１から供給される穀稈を搬送するフィードチェーン５２、トウミ５３及び揺動選別板５４等からなる選別装置Ｂ、穀粒回収用の一番口５５、及び、穀粒と藁屑との混合物（二番物）を回収するための二番口５６等を備えている。そして、扱室Ａで扱処理された処理物は、扱室Ａの下部に設けられた受網５７から選別装置Ｂに漏下し、それ以外の処理物は受網５７の後端部より選別装置Ｂに落下する。尚、上記一番口５５にて回収された穀粒は、図示しないスクリュー式の搬送装置によってグレンタンク３に搬送され、二番口５６にて回収された二番物は、スクリュー式の二番搬送装置６３によって、上記揺動選別板５４の始端側に戻されるように構成されている。又、脱穀部２の後方側には、脱穀部２から排出される排藁を切断する排ワラカッタ部６４が設けられ、その排ワラカッタ部６４の詰まりを検出するための排ワラ詰まり検出スイッチＳ１５が設けられている。
【００３１】
選別装置Ｂの揺動選別板５４は、トウミ５３の上方に位置するグレンパン５８、そのグレンパン５８の後方に位置するチャフシーブ５９、そのチャフシーブ５９の下方に位置するグレンシーブ６１等を備えている。チャフシーブ５９は、処理物移送方向に並置された複数個の帯板状部材からなり、その隣接する帯板状部材の間隔（チャフ開度）がチャフ開度調節モータＭ４によって変更されるように構成されている。尚、Ｓ８は、揺動選別板５４上の選別処理物量を検出するシーブセンサである。トウミ５３は、選別風を送風するためのものであり、後方側のファンケースカバー５３ａをトウミ風力調節モータＭ５にて開閉操作することにより、揺動選別板５４上の処理物に及ぼす風力（トウミ風力）が変更されるように構成されている。
【００３２】
そして、選別装置Ｂでの選別処理が適正に行われるように、扱室Ａからの漏下処理物量に応じて、チャフ開度調節モータＭ４及びトウミ風力調節モータＭ５の作動を制御する脱穀制御が実行される。
【００３３】
次に、動力伝達系を図３に示す。機体Ｖに搭載されたエンジンＥの出力は、脱穀クラッチ３７を介して脱穀部２に伝達されるとともに、走行クラッチ３８及び無段変速装置３９を介してクローラ走行装置３０のミッション部４０に伝達される。ミッション部４０に伝達された出力は、ミッション部４０内に設けられた副変速装置４２を介してクローラ走行装置３０に伝達される一方、刈取変速装置４３及び刈取クラッチ４１を介して刈取部１に伝達される。そして、副変速装置４２にて変速された後の動力にて駆動されるクローラ走行装置３０の入力軸の回転速度に基づいて作業速度を検出する車速センサＳ４、エンジンＥの回転速度を検出するエンジン回転速度センサＳ５、エンジンＥの冷却水の水温を検出する水温センサＳ７等が設けられている。
【００３４】
前記車速センサＳ４は、詳述はしないが、電磁ピックアップコイルの作用によりクローラ走行装置３０の入力軸に備えられたギアの歯部と溝部との間での近接距離の変化に対応するパルス信号をギアの回転速度に対応した信号として出力するように構成されており、そのパルス信号のパルス周期の長さに基づいて作業速度を検出する構成となっている。
【００３５】
前記エンジン回転速度センサＳ５についても、車速センサＳ４と同様に、電磁ピックアップコイルの作用によりエンジンＥの出力軸と一体的に回転するように備えられたギアの歯部と溝部との間での近接距離の変化に対応するパルス信号を出力するように構成されており、そのパルス信号のパルス周期の長さに基づいて作業速度を検出する構成となっている。
【００３６】
前記無段変速装置３９は、後述するように変速モータＭ６により無段変速操作可能であり、しかも、変速モータＭ６の操作に優先して運転部３１に設けられた手動操作式の主変速レバー７にて手動で変速操作可能に構成されている。又、前記副変速装置４２は、副変速用油圧シリンダ６５の操作により、路上走行用の高速状態、刈取作業用の低速状態、クローラ走行装置３０への動力伝達を断つ中立状態の３つの変速状態に切り換え自在に構成されている。そして、副変速装置４２がどの変速位置にあるかを検出する副変速センサＳ１０が設けられている。
【００３７】
前記刈取変速装置４３は、刈取変速用油圧シリンダ６６の操作により高速状態と低速状態とに切り換え自在に構成され、コンバインの作業速度に対する刈取部１の刈取作業速度の相対速度を作物の種類の違いや植立穀稈の倒伏状態の違い等に応じて高低２段階に切り換えることができる。そして、刈取変速装置４３がどの変速状態にあるかを検出する刈取変速センサＳ１１が設けられている。
【００３８】
前記副変速装置４２は、取り付け構成については図示しないが、主変速レバー７の握り部に指操作可能に設けられたトグル操作式の副変速切換スイッチ９及び運転部３１における主変速レバー７とは別の箇所に設けられた副変速中立スイッチ１０による指令に基づいて変速状態が切り換わる構成であり（図９参照）、副変速中立スイッチ１０を切操作している状態で副変速切換スイッチ９を切り換え操作することで高速状態と低速状態とに切り換え自在であり、副変速中立スイッチ１０を入操作することで中立状態に切り換える構成となっている。
【００３９】
又、刈取変速装置４３は、副変速切換スイッチ９と同様に、主変速レバー７の握り部に指操作可能に設けられたトグル操作式の刈取変速切換スイッチ１１を切り換え操作することで高速状態と低速状態とに切り換え自在に構成されている（図９参照）。
【００４０】
後記するように、無負荷時のエンジン回転速度（基準回転速度）からのエンジン回転速度低下量によってエンジン負荷が求められ、そのエンジン負荷の情報に基づいて、エンジンＥの能力を極力有効に利用できるようにするために、車速センサＳ４にて検出される作業速度が人為操作式の上限速度設定器にて設定される設定上限速度を超えない条件で、エンジン負荷が適正範囲に維持されるように、変速モータＭ６の作動を制御する車速制御が実行される。
【００４１】
運転部３１には、刈取部１を昇降操作する刈取昇降指令具と機体Ｖを左右に旋回操作する旋回操作指令具とに兼用構成された十字操作式の刈高操向レバー８が設けられている。つまり、この刈高操向レバー８を後方側に揺動操作すると刈取部１が上昇し、前方側に揺動操作すると刈取部１が下降する。又、刈高操向レバー８を左側に揺動操作すると機体が左旋回し、右側に揺動操作すると機体が右旋回するように構成されている。
【００４２】
そして、このコンバインには、運転部３１における運転座席の前方側に、コンバインの運転において作業者に知らせるべき複数種の報知情報を表示する報知情報表示手段としての表示ユニットＣが設けられている。
この表示ユニットＣは、主表示部Ｃ１と、その主表示部Ｃ１に並設される補助表示部Ｃ３とを備えて構成され、前記主表示部Ｃ１が、前記報知情報として、作業速度を表示するように構成され、前記補助表示部Ｃ３が、画像表示式に構成され、且つ、前記報知情報として、前記主表示部Ｃ１にて表示される報知情報以外の複数種の報知情報を並べて表示するように構成されている。
【００４３】
又、補助表示部Ｃ３が、主表示部Ｃ１の下方側に並設される状態で備えられ、主表示部Ｃ１の左右両側に並設される状態で一対の副表示部Ｃ２、Ｃ２が備えられている。
【００４４】
そして、前記主表示部Ｃ１が、報知情報として、作業速度に加えてエンジン負荷を表示するように構成されている。すなわち、前記主表示部Ｃ１が、最低速度表示位置と最高速度表示位置とに亘る速度表示用設定経路Ｑ１に沿って作業速度表示用指示部を作業速度に応じて移動させる作業速度表示部としての作業速度計１２と、最小負荷表示位置と最大負荷表示位置とに亘る負荷表示用設定経路Ｑ２に沿って負荷表示用指示部をエンジン負荷に応じて移動させるエンジン負荷用表示部としてのエンジン負荷表示計１３とを備えて構成されている。
【００４５】
説明を加えると、図４に示すように、表示ユニットＣの左右方向の中央部に位置する主表示部Ｃ１には、前記車速センサＳ４にて検出される作業速度を表示する作業速度計１２が設けられている。この作業速度計１２は、速度表示用設定経路Ｑ１を上向き突出の円弧状として、作業速度表示用指示部としての指示針１２ａを速度表示用設定経路Ｑ１に沿って移動させるように構成されている。
【００４６】
すなわち、指示針１２ａがその長手方向一端側を回動支点として長手方向他端側が上向き突出の円弧状の軌跡を描くように回動する構成となっており、その回動支点となる箇所における背面パネルの内奥側には、図示はしないが、車速センサＳ４にて検出される作業速度が大きいほど大きい回動角となるように指示針１２ａを回動駆動する回動駆動部が備えられている。そして、背面パネルに表示した目盛１２ｂと対応させて指示針１２ａの長手方向他端側がどの位置にあるかを判別することにより現在の作業速度を読み取ることができる構成となっている。
【００４７】
又、作業速度が零速のときは指示針１２ａは最も反時計方向に回動した零速位置にあり、作業速度が大きいほど回動角が大になる状態で指示針１２ａが時計方向に回動移動する構成であり、前記指示針１２ａは、零速位置においては水平方向よりも少し左下方側に傾いた姿勢となり、最大速度位置においては水平方向よりも少し右下方側に傾いた姿勢となるように回動位置が設定されており、１８０度を越える広い範囲にわたって回動移動可能な構成となっており、分解能を高めて精度よく表示することができる構成となっている。尚、この実施形態では最大速度位置にあるときの作業速度は４ｍ／ｓｅｃに設定されている。
【００４８】
前記主表示部Ｃ１には、前記作業速度計１２の円弧状の外周部に沿うようにエンジン負荷を表示するエンジン負荷用表示部としてのエンジン負荷表示計１３が設けられている。
【００４９】
このエンジン負荷表示計１３は、負荷表示用設定経路Ｑ２を速度表示用設定経路Ｑ１の外方側に並ぶ上向き突出の円弧状とし、且つ、点灯状態と消灯状態とに切り換え自在な複数の点灯部としてのセグメント表示部１３ａを前記負荷表示用指示部として前記負荷表示用設定経路Ｑ２に沿って並設して、前記最小負荷表示位置から前記最大負荷表示位置に向けて並ぶ複数のセグメント表示部１３ａのうちで負荷が増大するほど前記最大負荷表示位置に近い側のセグメント表示部１３ａを消灯状態から点灯状態に切り換える形態で、点灯状態とするセグメント表示部１３ａの位置を前記負荷表示用設定経路Ｑ２に沿って移動させるように構成されている。
【００５０】
すなわち、エンジン負荷表示計１３は、複数（具体的には１３個）のセグメント表示部１３ａを一列に並べる状態で備えており、複数のセグメント表示部１３ａは、夫々に発光ダイオ−ド（ＬＥＤ）が各別に内装されており、各別に点灯状態と消灯状態とに切り換え自在な構成となっている。
【００５１】
説明を加えると、エンジン負荷表示計１３は、図５、図６に示すように、作業速度計１２の円弧状の外周部に沿うように円弧状に屈曲する状態で一体的に形成されたケーシング７０が設けられ、このケーシング７０には、１３個のセグメント表示部１３ａを形成するための１３個の光透過用開口部が円弧状に一列に並ぶ状態で区画形成されている。そして、ケーシング７０にて区画形成された光透過用開口部の夫々に、その内奥側箇所に位置させて発光ダイオード７１が各別に設けられ、表面側箇所に位置させて発光ダイオード７１が発光した光を拡散させる拡散板７２が設けられる構成となっている。そして、このエンジン負荷表示計１３は、後述するように、反時計方向側端部に位置する１番目のものから点灯表示するセグメント表示部１３ａの個数を順次多くする形態でエンジン負荷を表示する構成となっている。
【００５２】
又、１３個のセグメント表示部１３ａのうち反時計方向側端部に位置する１番目のものから時計方向に向けて８番目に位置するものまでは表示色が緑色（Ｇ）となり、９番目から１１番目までのものは表示色が黄色（Ｙ）となり、１２番目と１３番目のものは表示色が赤色（Ｒ）となるように夫々異なる色の発光ダイオード７１を用いて構成されている。
【００５３】
前記主表示部Ｃ１の左右両側に位置する副表示部Ｃ２のうち主表示部Ｃ１の左側に位置する副表示部Ｃ２には、前記エンジン回転速度センサＳ５にて検出されるエンジン回転速度を表示するエンジン回転速度表示部としての指示針式のエンジン回転速度計１４が設けられ、主表示部Ｃ１の右側に位置する副表示部Ｃ２には、燃料タンク内の燃料残量を表示する燃料残量表示部としての指示針式の燃料計１５が設けられている。従って、一対の副表示部Ｃ２が、報知情報として、エンジン回転速度及び燃料残量を表示するように構成されている。前記燃料タンクは図示は省略しているが、この燃料タンク内の燃料残量を検出する燃料残量センサＳ９が設けられている（図９参照）。
【００５４】
従って、作業速度表示部としての作業速度計１２が左右方向中央部に位置する状態で設けられ、エンジン回転速度表示部としてのエンジン回転速度計１４と、燃料残量表示部としての燃料計１５とが、作業速度計１２の左右方向両側に位置する状態で振り分け配置される状態で設けられている。
【００５５】
前記エンジン回転速度計１４は、最低速度表示位置と最高速度表示位置とに亘るエンジン回転速度表示用設定経路Ｑ３に沿ってエンジン回転速度表示用指示部としての指示針１４ａをエンジン回転速度に応じて移動させる形態でエンジン回転速度を表示するように構成され、エンジン回転速度表示用設定経路Ｑ３を上向き突出の円弧状として、指示針１４ａを、その移動角度範囲が１８０度よりも狭い角度に設定されたエンジン回転速度表示用設定経路Ｑ３に沿って移動させるように構成されている。
【００５６】
すなわち、前記エンジン回転速度計１４は、作業速度計１２と同様に、指示部の一例である指示針１４ａがその長手方向一端側を回動支点として長手方向他端側が円弧状の軌跡を描くように回動する構成となっており、その回動支点となる箇所における背面パネルの内奥側には、図示はしないが、エンジン回転速度センサＳ５にて検出されるエンジン回転速度が大きいほど大きい回動角となるように指示針１４ａを回動駆動する回動駆動部が備えられている。そして、背面パネルに表示した目盛１４ｂと対応させて指示針１４ａの長手方向他端側がどの位置にあるかを判別することにより現在のエンジン回転速度を読み取ることができる構成となっている。
【００５７】
エンジン回転速度が零速のときは指示針１４ａは最も反時計方向に回動した最低速度表示位置にあり、エンジン回転速度が大きいほど回動角が大になる状態で指示針１４ａが時計方向に回動する構成となっており、この実施形態では最高速度表示位置における最大回転速度は３０００ｒｐｍに設定されている。又、指示針１４ａの移動角度範囲は、約１３５度の範囲に設定されており、前記最低速度表示位置は、作業速度計１２と同じように水平方向よりも少し左下方側に傾いた姿勢となるように構成されている。このように構成することで、指示針１４ａを長くして判り易くエンジン回転速度を表示させるものでありながら、左右方向の幅を狭くすることができ、エンジン回転速度計１４を作業速度計１２側に寄せて配置することができる。
【００５８】
そして、このエンジン回転速度計１４には、エンジンＥが無負荷状態であるときにエンジン回転速度が予め設定されている基準回転速度又はそれに近い回転速度である基準回転状態になっていることを表示する基準回転状態表示手段としての基準回転状態表示ランプ８２が備えられている。
【００５９】
説明を加えると、この基準回転状態表示ランプ８２はＬＥＤランプにより構成され、制御部２８からの制御指令により点灯状態と消灯状態とに切り換わるように構成されている。つまり、制御部２８は、通常の場合には基準回転状態表示ランプ８２を消灯状態に維持しており、エンジンＥが無負荷状態であるとき、具体的には、図示しない検出センサにて脱穀クラッチ３７及び走行クラッチ３８が共に切状態になっていることが検出される状態であるとき、作業者によりアクセル操作が行われて、エンジン回転速度センサＳ５にて検出されるエンジン回転速度が予め設定されている基準回転速度又はそれに近い回転速度である基準回転状態になると、基準回転状態表示ランプ８２を点灯状態に切り換える。このようにして、作業者は、基準回転状態になっていることが容易に分かるので、エンジン回転速度の調整作業を行い易いものになる。
【００６０】
前記燃料計１５は、最大残量表示位置と最小残量表示位置とに亘る残量表示用設定経路に沿って燃料残量表示用指示部としての指示針１５ａを燃料残量に応じて移動させる形態で燃料残量を表示するように構成され、燃料残量表示用設定経路を上向き突出の円弧状として、燃料残量表示用指示部としての指示針を、その移動角度範囲が１８０度よりも狭い角度に設定された前記燃料残量表示用設定経路に沿って移動させるように構成されている。
【００６１】
すなわち、前記燃料計１５は、作業速度計１２と同様に、指示部の一例である指示針１５ａがその長手方向一端側を回動支点として長手方向他端側が円弧状の軌跡を描くように回動する構成となっており、その回動支点となる箇所における背面パネルの内奥側には、図示はしないが、燃料残量センサＳ９にて検出される燃料残量が残り少ないほど大きい回動角となるように指示針１５ａを回動駆動する回動駆動部が備えられている。そして、背面パネルに表示した目盛１５ｂと対応させて指示針１５ａの長手方向他端側がどの位置にあるかを判別することにより現在の燃料残量を読み取ることができる構成となっている。
【００６２】
燃料残量が満量であるときは指示針１５ａは最も反時計方向に回動した最大残量表示位置にあり、燃料残量が減少するとその減少量に応じて指示針１５ａが時計方向に回動する構成となっており、指示針１５ａは最も時計方向に回動した最小残量表示位置になると、燃料残量が零又は略零であることを示すことになる。
【００６３】
又、指示針１５ａの移動角度範囲は、約１００度の範囲に設定されており、前記最大残量表示位置は、最上方位置よりも少し左側に傾斜した姿勢となるように構成されている。このように構成することで、指示針１５ａを長くして判り易く燃料残量を表示させるものでありながら、左右方向の幅を狭くすることができ、燃料計１５を作業速度計１２側に寄せて配置することができる。
【００６４】
従って、表示ユニットの限られた設置スペースを有効に利用して、作業速度計１２、エンジン回転速度計１４、燃料計１５の夫々を、指示針を長くして報知情報を判り易く表示させることができる。
【００６５】
前記作業速度計１２に対してその下方側に並ぶ状態で、作業者に報知すべき複数の報知情報のうちの燃料残量、エンジン回転速度、エンジン負荷の各情報を除く他の報知情報を表示する補助表示部Ｃ３が設けられている。この補助表示部Ｃ３は、画像情報を表示可能なドットマトリクス形式の液晶表示装置にて構成され、画像表示により報知情報を表示するように構成されている。
【００６６】
そして、この補助表示部Ｃ３は、複数種の報知情報を並べて表示する複数情報表示状態と、複数種の報知情報のうちの複数情報表示状態にて表示する報知情報の数よりも少ない数の報知情報を表示する少数情報表示状態とに切り換え自在に構成され、且つ、少数情報表示状態において、表示する報知情報を複数情報表示状態にて表示する複数種の報知情報のうちから変更自在に構成されている。尚、補助表示部Ｃ３の表示状態の切り換えは、後述するようなモード切換スイッチ８０の操作により行われる。
【００６７】
具体的な表示形態について説明すると、前記複数情報表示状態においては、図１０（イ）に示すように、前記グレンタンク３内に貯留される穀粒（図では「もみ」と表記している）の貯留量、シーブセンサＳ８にて検出される揺動選別板５４上の選別処理物量（図では「シーブ」と表記している）、及び、水温センサＳ７にて検出されるエンジンＥにおける冷却水の温度（図では「水温」と表記している）の各情報が表示される。又、補助表示部Ｃ３には、それらの情報に加えて、左右のウインカー表示７４、コンバインの累計稼動時間を示すアワーメータ７５、バッテリーの充電量が残り少ないことを表す充電警報表示７６、オイルの異常を表示するオイル警報表示７７も並べて表示されることになる。
【００６８】
前記少数情報表示状態においては、図１２に示すように、穀粒貯留量、選別処理物量、エンジン冷却水の水温のうちの１つの情報を複数情報表示状態のときよりも拡大させた状態で表示する。表示する情報の切り換えは、後述する表示切換スイッチ８１の操作により行われる。
【００６９】
又、前記補助表示部Ｃ３は、コンバインに異常が発生している異常状態においては、上記したような各種の報知情報に代えて、前記異常に対応するためのメッセージ情報を表示するように構成されている。
【００７０】
そして、前記エンジン回転速度計１４に対してその下方側に並ぶ状態で、副変速装置４２の現在の変速状態を表示する副変速表示部Ｃ４が設けられている。
この副変速表示部Ｃ４は、高速状態を示す高速表示部分１６、低速状態を示す低速表示部分１７、中立状態を示す中立表示部分１８の夫々を横方向に並べて備えており、それらの３つの各表示部分１６、１７、１８にはＬＥＤランプ等からなる照明ランプ７３が内装されており、３つの各表示部分のうちの現在の変速状態に対応する表示部分の照明ランプ７３を点灯して、それ以外の表示部分の照明ランプ７３を消灯することで、副変速装置４２の現在の変速状態を表示するように構成されている。
【００７１】
具体的には、図７に示すように、副変速表示部Ｃ４の表示面は、光を透過しない遮光性のパネル１９にて覆われる構成となっており、高速表示部分１６は、その表示面部分のパネル１９の一部が照明ランプ７３が点灯すると「Ｈ」の文字が明るく表示されるようなＨ字状の透光性部材２０にて構成され、照明ランプ７３を消灯すると「Ｈ」の文字が陰影表示となるように構成されている。低速表示部分１７も同様に、その表示面部分のパネル１９の一部が照明ランプ７３が点灯すると「Ｌ」の文字が明るく表示されるようなＬ字状の透光性部材２１にて構成され、照明ランプ７３を消灯すると「Ｌ」の文字が陰影表示となるように構成されている。又、中立表示部分１８は、その表示面部分のパネル１９の一部が照明ランプ７３が点灯すると「Ｎ」の文字が明るく表示されるようなＮ字状の透光性部材２２にて構成され、照明ランプ７３を消灯すると「Ｎ」の文字が陰影表示となるように構成されている。
【００７２】
このように横方向に並べて備えられる高速表示部分１６、低速表示部分１７、中立表示部分１８は、夫々、照明ランプ７３が点灯すると文字情報が明るく表示される表示状態となり、照明ランプ７３を消灯すると陰影表示となるように切り換わる構成となっており、しかも、それらのうちのいずれかのものが表示状態となり、それ以外のものは陰影表示となるように表示状態が制御されることで、作業者は、明るく表示される表示部分は勿論、陰影表示される表示部分もその存在は判るので、変速操作される変速段数がいくつ存在し、現在はそのうちのどの変速状態にあるかが判り易い状態で表示できるものになる。
【００７３】
前記燃料計１５に対してその下方側に並ぶ状態で、刈取変速装置４３の現在の変速状態を表示する刈取変速表示部Ｃ５が設けられている。
この刈取変速表示部Ｃ５は、副変速表示部Ｃ４と同様に、高速状態を示す高速表示部分２３及び低速状態を示す低速表示部分２４の夫々を照明ランプ７３を内装する状態で備えており、現在の変速状態に対応する表示部分の照明ランプ７３を点灯し、それ以外の表示部分の照明ランプ７３を消灯することで、刈取変速装置４３の現在の変速状態を表示するように構成されている。
【００７４】
具体的には、図８に示すように、刈取変速表示部Ｃ５は、表示面が遮光性のパネル２５にて覆われる構成となっており、高速表示部分２３は、そのパネル２５の一部が照明ランプ７３が点灯すると「Ｈ」の文字が明るく表示されるようなＨ字状の透光性部材２６にて構成され、照明ランプ７３を消灯すると「Ｈ」の文字が陰影表示となるように構成されている。低速表示部分２４も同様に、パネル２５の一部が照明ランプ７３が点灯すると「Ｌ」の文字が明るく表示されるようなＬ字状の透光性部材２７にて構成され、照明ランプ７３を消灯すると「Ｌ」の文字が陰影表示となるように構成されている。
【００７５】
又、表示ユニットＣの横側方には、補助表示部Ｃ３における表示状態の切り換えを指令するモード切換スイッチ８０と、表示内容の切り換えを指令する表示切換スイッチ８１とが設けられ、この両スイッチ８０，８１は、押し操作されているときだけオン状態になり、押し操作されないときはオフ状態となる押ボタン式のスイッチに構成されている。
【００７６】
図９に示すように、マイクロコンピュータを利用して構成された制御部２８が設けられ、この制御部２８に、超音波センサＳ１、株元センサＳ２、アンローダ位置センサＳ３、車速センサＳ４、エンジン回転速度センサＳ５、シーブセンサＳ８の各検出情報が入力され、モミセンサＳ６、水温センサＳ７、燃料残量センサＳ９、副変速センサＳ１０、刈取変速センサＳ１１の各検出情報も制御部２８に入力されている。又、副変速切換スイッチ９、副変速中立スイッチ１０、刈取変速切換スイッチ１１、モード切換スイッチ８０、表示切換スイッチ８１の情報も制御部２８に入力されている。
【００７７】
一方、前記制御部２８からは、刈取昇降シリンダ５、アンローダ用油圧シリンダ６２、アンローダ旋回用モータＭ３、チャフ開度調節モータＭ４、トウミ風力調節モータＭ５、車速変速用の変速モータＭ６、副変速用油圧シリンダ６５、刈取変速用油圧シリンダ６６、表示ユニットＣに対する各駆動信号が出力されている。そして、制御部２８が、上記各センサの情報に基づいて、上記各シリンダや各モータを駆動して、刈高制御、アンローダ制御、脱穀制御、車速制御等の各種制御を実行するように構成されている。
【００７８】
そして、前記制御部２８は表示ユニットＣにおける表示状態を制御する表示制御を実施形態する構成となっている。以下、制御部２８による表示制御の具体内容について説明する。
図１１に示すように、制御部２８は、車速センサＳ４の検出情報に基づいて現在の作業速度に対応するように作業速度計１２を作動させ、エンジン回転速度センサＳ５の検出情報に基づいてエンジンＥの回転速度に対応するようにエンジン回転速度計１４を作動させ、燃料残量センサＳ９の検出情報に基づいて燃料タンクの燃料残量に対応するように燃料計１５を作動させる（ステップ１）。
【００７９】
作業速度の表示について説明を加えると、制御部２８は、作業速度計１２の指示針１２ａの回動角が車速センサＳ４にて検出される現在の作業速度に対応する回動角になるように、作業速度計１２の回動駆動部の作動を制御するのである。
【００８０】
エンジン回転速度計１４についても同様にして、エンジン回転速度計１４の指示針１４ａの回動角が、エンジン回転速度センサＳ５にて検出される現在のエンジン回転速度に対応する回動角になるようにエンジン回転速度計１４の回動駆動部の作動を制御する。又、燃料計についても同様に、燃料計１５の指示針１５ａの回動角が、燃料残量センサＳ９にて検出される現在の燃料残量に対応する回動角になるように燃料計１５の回動駆動部の作動を制御する。
【００８１】
又、副変速切換スイッチ９及び副変速中立スイッチ１０の指令情報に基づいて対応する変速状態になるように副変速用油圧シリンダ６５の作動を制御して副変速装置４２を変速操作することになるが、そのとき副変速センサＳ１０の検出情報に基づいて現在の副変速装置４２がどの変速状態であるかを判別することができるから、その判別結果に基づいて副変速表示部Ｃ４にて現在の副変速装置４２がどの変速状態であるかを表示する（ステップ２）。つまり、副変速表示部Ｃ４の高速表示部分１６、低速表示部分１７、中立表示部分１８のいずれか対応するものについて照明ランプ７３を点灯して明るく表示し、それ以外のものは照明ランプ７３を消灯して暗くする。
【００８２】
又、制御部２８は、刈取変速切換スイッチ１１の指令情報に基づいて対応する変速状態になるように刈取変速用油圧シリンダ６６の作動を制御して刈取変速装置４３を変速操作することになるが、刈取変速センサＳ１１の検出情報に基づいて現在の刈取変速装置４３がどの変速状態であるかを判別することができるから、その判別結果に基づいて刈取変速表示部Ｃ５にて現在の刈取変速装置４３がどの変速状態であるかを表示する（ステップ２）。具体的には、刈取変速表示部Ｃ５の高速表示部分１９及び低速表示部分２０のいずれか対応するものの照明ランプ７３を点灯し、それ以外のものの照明ランプ７３を消灯する。
【００８３】
そして、制御部２８は、コンバインが正常に作動している通常状態においては、例えば図５に示すように、エンジン負荷表示計１３における複数のセグメント表示部１３ａをその並び方向の一端側から点灯表示するセグメント表示部１３ａの個数を順次多くさせることによりエンジン負荷を表示し、コンバインに異常が発生している異常状態においては、複数のセグメント表示部１３ａの全てのものを点滅表示させる（ステップ３、４）。
【００８４】
エンジン負荷を検出する構成について説明を加えると、このコンバインにおいては、エンジンＥに負荷が掛かっていない無負荷状態になっているときに、作業者がアクセル操作を行うことによって、エンジン回転速度が予め設定されている基準回転速度になるようにエンジンＥのアクセル操作位置が調整され、エンジン回転速度が基準回転速度になると、そのアクセル操作位置にて位置固定して、その後の作業を行う構成となっている。
【００８５】
そして、エンジンＥに負荷が掛かると、エンジン負荷の大きさに応じてエンジン回転速度がこの基準回転速度から低下することになるので、予め実験データ等により基準回転速度からのエンジン回転速度低下量とエンジン負荷の大きさとが対応付けた状態でマップデータとして設定されている。そこで、制御部２８は、エンジン回転速度センサＳ５により検出されるエンジン回転速度と前記基準回転速度との差、つまり、エンジン回転速度低下量を演算にて求めて、そのエンジン回転速度低下量と前記マップデータとに基づいてエンジン負荷を求める構成となっている。
【００８６】
このようにして求めたエンジン負荷を表示するときは、制御部２８は、１３個のセグメント表示部１３ａをその並び方向の一端側、すなわち、反時計方向側端部に位置する１番目のものから点灯表示するセグメント表示部１３ａの個数を順次多くする形態でエンジン負荷を表示するのである。従って、エンジン負荷が適正負荷であるときには緑色のセグメント表示部１３ａが点灯することになり、エンジン負荷が大きくなり設定値を越えて注意負荷状態になると、８個の緑色のセグメント表示部１３ａに加えて黄色のセグメント表示部１３ａが点灯する。さらに、エンジン負荷が大きくなり上限値を超えて過大負荷になると、８個の緑色のセグメント表示部１３ａ、３個の黄色のセグメント表示部１３ａに加えて赤色のセグメント表示部１３ａが点灯することになる。
【００８７】
さらに、制御部２８は、コンバインが正常に作動している通常状態においては、補助表示部Ｃ３にて、上記したような各種の報知情報を表示する表示処理を実行する（ステップ５）。
【００８８】
この表示処理では、モード切換スイッチ８０が押し操作される毎に前記複数情報表示状態と前記少数情報表示状態とに交互に切り換わることになる。
具体的には、前記複数情報表示状態では、複数種の報知情報として、図１０（イ）に示すように、前記グレンタンク３内に貯留される穀粒（図では「もみ」と表記している）の量、シーブセンサＳ８にて検出される揺動選別板５４上の選別処理物量（図では「シーブ」と表記している）、及び、水温センサＳ７にて検出されるエンジンＥにおける冷却水の水温の各情報が表示される。又、それらの情報に加えて、左右のウインカー表示７４、コンバインの累計稼動時間を示すアワーメータ７５、バッテリーの充電量が残り少ないことを表す充電警報表示７６、オイルの異常を表示するオイル警報表示７７も並べて表示する。又、前記少数情報表示状態に切り換わっている状態では、表示切換スイッチ８１が押し操作される毎に、図１２に示すような、選別処理物量、穀粒貯留量、冷却水の温度のうちのいずれかの情報が拡大表示された状態で、予め設定された順序で表示内容が順次切り換わることになる。
【００８９】
尚、前記少数情報表示状態としては、前記複数の報知情報のうちのいずれか１つを拡大させた状態で表示させる構成に限らず、図１３に示すように、エンジンの冷却水の温度（水温）と穀粒貯留量（モミ）とを並べて表示する状態、揺動選別板上の選別処理物量（シーブ）と穀粒貯留量（モミ）とを並べて表示する状態等、前記複数の報知情報のうちの２つの報知情報を表示する状態にて、表示切換スイッチを操作する毎に予め設定される順序で切り換わる構成としてもよい。
【００９０】
そして、制御部２８は、コンバインに異常が発生している異常状態においては、エンジン負荷表示計１３における１３個のセグメント表示部１３ａの全てのものを点滅表示させる（ステップ６）。ここでいう異常状態とは、コンバインのいずれかの箇所において、刈取作業を継続して実行することが困難となるような異常が発生しているような場合であり、例えば、排ワラ詰り検出スイッチＳ１５がオンして排ワラカッタ部６４において排ワラが詰まっている排ワラ詰り異常等がある。前記異常には、この排ワラ詰り以外にも、刈取部１における刈取穀稈の詰まり異常やエンジンがオーバーヒートしている異常等がある。
【００９１】
又、制御部２８は、コンバインに異常が発生している異常状態においては、上記したような貯留穀粒量、選別処理物量、水温等の複数種の報知情報に代えて、前記異常に対応するためのメッセージ情報を補助表示部Ｃ３に表示する（ステップ７）。上記したような排ワラが詰まっている異常が発生したときには、図１０（ロ）に示すように、そのときに発生した異常に対応するためのメッセージ情報、例えば、「排ワラカッタにワラが詰まっています。ワラを取り除いて下さい。」というようなメッセージ情報を表示する。
【００９２】
〔別実施形態〕
次に、別実施形態について説明する。
【００９３】
（１）上記実施形態では、前記作業速度表示部としての作業速度計が、設定経路に沿って指示針を移動させる形式の表示構成を例示したが、このような構成に限らず、上記実施形態におけるエンジン負荷表示部のように、点灯状態と消灯状態に切り換わる複数の点灯部を並べて構成するものでもよい。
【００９４】
（２）上記実施形態では、前記エンジン回転速度表示部及び前記燃料残量表示部が、夫々、設定経路に沿って指示針を移動させる形式の表示構成を例示したが、このような構成に限らず、上記実施形態におけるエンジン負荷表示部のように、点灯状態と消灯状態に切り換わる複数の点灯部を並べて構成するものでもよい。又、このような指示部が移動する形式の表示構成に代えて、数値情報によって表示するものでもよい。
【００９５】
（３）上記実施形態では、前記エンジン回転速度表示部に前記基準回転状態表示手段を備える構成としたが、このような基準回転状態表示手段を備えない構成でもよい。
【００９６】
（４）上記実施形態では、本発明を作業機械としての刈取収穫用のコンバインに適用したが、本発明はコンバイン以外のトラクタや建設機械などの作業機械に適用することもできる。
【図面の簡単な説明】
【００９７】
【図１】全体側面図
【図２】脱穀部の構成図
【図３】動力伝達系を示す図
【図４】表示ユニットの正面図
【図５】エンジン負荷表示計の構成を示す図
【図６】エンジン負荷表示計の構成を示す図
【図７】副変速表示部の構成を示す図
【図８】刈取変速表示部の構成を示す図
【図９】制御ブロック図
【図１０】制御動作のフローチャート
【図１１】補助表示部の表示状態を示す図
【図１２】補助表示部の表示状態を示す図
【図１３】補助表示部の表示状態を示す図
【符号の説明】
【００９８】
１２        作業速度表示部
１４        エンジン回転速度表示部
１４ａ      指示針
１５        燃料残量表示部
１５ａ      指示針
８２        基準回転状態表示手段
Ｃ          報知情報表示手段
Ｑ１        作業速度表示用設定経路
Ｑ３        エンジン回転速度表示用設定経路
Ｑ４        燃料残量表示用設定経路
【図１】
2007054008.tif 000003
【図２】
2007054008.tif 000004
【図３】
2007054008.tif 000005
【図４】
2007054008.tif 000006
【図５】
2007054008.tif 000007
【図６】
2007054008.tif 000008
【図７】
2007054008.tif 000009
【図８】
2007054008.tif 000010
【図９】
2007054008.tif 000011
【図１０】
2007054008.tif 000012
【図１１】
2007054008.tif 000013
【図１２】
2007054008.tif 000014
【図１３】
2007054008.tif 000015